(57)【要約】【課題】停電の範囲を狭くすることができるとともに、ブッシングの更新作業を容易にすることができるブッシング更新装置、及びブッシング更新システムを得る。【解決手段】ブッシング更新装置２１では、回転軸２３が架台２２に回転可能に支持されている。回転軸２３には、可動台２５が固定されている。可動台２５は、回転軸２３の軸線を中心として回転軸２３と一体に変位可能になっている。また、可動台２５は、遮断器１に取り付けられている連結タンク１１と、連結タンク１１に取り付けられているブッシング１２とを有するブッシングユニット５に取り付け可能になっている。ブッシング更新装置２１は、遮断器１から切り離されたブッシングユニット５に可動台２５が取り付けられた状態で回転軸２３の軸線を中心に可動台２５を変位させることにより、ブッシングユニット５を倒したり立てたりする。【選択図】図４
2017208907.tif 000002
【特許請求の範囲】
【請求項１】
架台、
前記架台に回転可能に支持されている回転軸、
前記回転軸を回転させる駆動装置、及び
前記回転軸に固定され、前記回転軸の軸線を中心として前記回転軸と一体に変位可能な可動台
を備え、
前記可動台は、電気機器に取り付けられている連結タンクと、前記連結タンクに取り付けられているブッシングとを有するブッシングユニットに取り付け可能になっており、
前記電気機器から切り離された前記ブッシングユニットに前記可動台が取り付けられた状態で前記回転軸の軸線を中心に前記可動台を変位させることにより、前記ブッシングユニットを倒したり立てたりするブッシング更新装置。
【請求項２】
前記架台に対する前記回転軸の位置を調整可能な位置調整装置を備え、
前記位置調整装置は、前記架台の長手方向、前記架台の幅方向、前記架台の高さ方向、前記架台の高さ方向に沿った軸線を中心とする回転方向のそれぞれの方向について、前記回転軸の位置を前記架台に対して調整可能になっている請求項１に記載のブッシング更新装置。
【請求項３】
前記架台を搬送可能な搬送装置、
前記架台を持ち上げるジャッキ、及び
前記架台が動かないように前記架台を支えるアウトリガー
を備えている請求項１又は請求項２に記載のブッシング更新装置。
【請求項４】
電気機器に取り付けられている連結タンクと、前記連結タンクに取り付けられているブッシングとを有するブッシングユニット、及び
架台と、前記架台に回転可能に支持されている回転軸と、前記回転軸を回転させる駆動装置と、前記回転軸に固定され、前記回転軸の軸線を中心として前記回転軸と一体に変位可能な可動台とを有し、前記可動台が前記ブッシングユニットに取り付け可能になっているブッシング更新装置
を備え、
前記ブッシング更新装置は、前記電気機器から切り離された前記ブッシングユニットに前記可動台が取り付けられた状態で前記回転軸の軸線を中心に前記可動台を変位させることにより、前記ブッシングユニットを倒したり立てたりするブッシング更新システム。
【請求項５】
前記連結タンクは、前記電気機器の水平方向端部に取り付けられている請求項４に記載のブッシング更新システム。
【発明の詳細な説明】
【技術分野】
【０００１】
この発明は、電気機器に取り付けられているブッシングの更新を行うブッシング更新装置、及びブッシング更新システムに関するものである。
【背景技術】
【０００２】
従来、例えば発電所、変電所等において遮断器等の電気機器に取り付けられているブッシングの更新を行う方法として、電気機器のケースからブッシングをクレーンで吊って抜いた後、クレーンで吊った新たなブッシングを電気機器のケースに挿入して、新たなブッシングを電気機器のケースに固定する方法が知られている。
【０００３】
しかし、活線エリア内でのクレーンの使用は安全性を確保するために禁止されており、クレーンを使用するためには、活線エリア内の全停電をする必要がある。一方、電力会社からは、昨今の電力事情により停電の範囲を狭くすることが求められている。
【０００４】
従来、クレーンを使用せずにブッシングの撤去及び据付を行うために、ブッシングに取り付けたアダプタリングに油圧ショベルのアームを取り付けて、油圧ショベルのアームを動かすことにより、電気機器のケースからブッシングを出したり電気機器のケースにブッシングを挿入したりするブッシングの撤去据付方法が提案されている（例えば特許文献１参照）。
【先行技術文献】
【特許文献】
【０００５】
【特許文献１】特開平９−１６３５２７号公報
【発明の概要】
【発明が解決しようとする課題】
【０００６】
しかし、特許文献１に示されているブッシングの撤去据付方法では、電気機器のケースからブッシングを出したり電気機器のケースにブッシングを挿入したりするので、ブッシングを移動させる軌道が複雑になってしまい、ブッシングの撤去作業及び据付作業の負担がいずれも増加してしまう。また、油圧ショベルを用いる必要があり、ブッシングの撤去作業及び据付作業が大掛かりになってしまう。
【０００７】
この発明は、上記のような課題を解決するためになされたものであり、停電の範囲を狭くすることができるとともに、ブッシングの更新作業を容易にすることができるブッシング更新装置、及びブッシング更新システムを得ることを目的とする。
【課題を解決するための手段】
【０００８】
この発明によるブッシング更新装置は、架台、架台に回転可能に支持されている回転軸、回転軸を回転させる駆動装置、及び回転軸に固定され、回転軸の軸線を中心として回転軸と一体に変位可能な可動台を備え、可動台は、電気機器に取り付けられている連結タンクと、連結タンクに取り付けられているブッシングとを有するブッシングユニットに取り付け可能になっており、電気機器から切り離されたブッシングユニットに可動台が取り付けられた状態で回転軸の軸線を中心に可動台を変位させることにより、ブッシングユニットを倒したり立てたりする。
【０００９】
また、この発明によるブッシング更新システムは、電気機器に取り付けられている連結タンクと、連結タンクに取り付けられているブッシングとを有するブッシングユニット、及び架台と、架台に回転可能に支持されている回転軸と、回転軸を回転させる駆動装置と、回転軸に固定され、回転軸の軸線を中心として回転軸と一体に変位可能な可動台とを有し、可動台がブッシングユニットに取り付け可能になっているブッシング更新装置を備え、ブッシング更新装置は、電気機器から切り離されたブッシングユニットに可動台が取り付けられた状態で回転軸の軸線を中心に可動台を変位させることにより、ブッシングユニットを倒したり立てたりする。
【発明の効果】
【００１０】
この発明によるブッシング更新装置、及びブッシング更新システムによれば、回転軸の軸線を中心に可動台を変位させることにより、ブッシングユニットを一体物として倒したり立てたりすることができる。これにより、ブッシングユニットの撤去作業及び設置作業をクレーンによって行う必要がなくなり、クレーン使用禁止エリア内の部分的な停電のみでブッシングユニットの更新作業を行うことができ、停電の範囲を狭くすることができる。また、ブッシングユニットを電気機器から外す作業を容易にすることができるので、ブッシングの更新作業を容易にすることができる。
【図面の簡単な説明】
【００１１】
【図１】この発明の実施の形態１によるブッシング更新システムが適用される発変電所を示す模式的な斜視図である。
【図２】図１のブッシングユニットを示す正面図である。
【図３】図２のブッシングユニットを示す側面図である。
【図４】図３のブッシングユニットにブッシング更新装置が装着されている状態を示す側面図である。
【図５】図４のブッシング更新装置を示す上面図である。
【図６】図５のブッシング更新装置を示す側面図である。
【図７】図１のクレーン使用禁止エリア外でブッシングを連結タンクから外す作業を行っている状態を示す側面図である。
【発明を実施するための形態】
【００１２】
以下、この発明の実施の形態について図面を参照して説明する。
実施の形態１．
図１は、この発明の実施の形態１によるブッシング更新システムが適用される発変電所を示す模式的な斜視図である。図において、屋外の予め設定された設置スペースには、複数の遮断器１が設置されている。各遮断器１は、第１の電力架線２と第２の電力架線３との電気的接続を開閉する電気機器である。第１の電力架線２は一方のブッシングユニット４を介して遮断器１に接続され、第２の電力架線３は他方のブッシングユニット５を介して遮断器１に接続されている。
【００１３】
遮断器１は、金属製のケース６と、ケース６内に収容された電気機器本体である遮断器本体とを有している。遮断器１としては、例えば消弧能力の高い絶縁性ガスをケース６内に入れたガス遮断器等が用いられている。この例では、ケース６の形状が水平に配置された筒状になっている。
【００１４】
遮断器１の遮断器本体が閉状態であるときには、第１の電力架線２及び第２の電力架線３が、一方のブッシングユニット４、遮断器１及び他方のブッシングユニット５を介して互いに電気的に接続されている。従って、このときには、第１の電力架線２及び第２の電力架線３がいずれも充電部７になっている。これに対して、遮断器１の遮断器本体が開状態になると、第１の電力架線２と第２の電力架線３との電気的接続が遮断され、遮断器１の一次側にある第１の電力架線２が充電部７の状態を維持したまま、遮断器１の二次側にある第２の電力架線３が停電部８になる。
【００１５】
充電部７の周囲には、安全上の接触侵入禁止エリアである充電部離隔範囲９が設定されている。発変電所での作業は、充電部離隔範囲９を避けて行われる。なお、図１の充電部離隔範囲９よりも広範囲にわたるエリア１０は、クレーンの使用が禁止されているクレーン使用禁止エリアである。
【００１６】
一方のブッシングユニット４は遮断器１の水平方向一端部に取り付けられ、他方のブッシングユニット５は遮断器１の水平方向他端部に取り付けられている。各ブッシングユニット４，５は、上下方向に立った状態で設置スペースに設置されている。
【００１７】
図２は、図１のブッシングユニット５を示す正面図である。また、図３は、図２のブッシングユニット５を示す側面図である。ブッシングユニット５は、遮断器１のケース６に取り付けられている連結タンク１１と、連結タンク１１に取り付けられている長尺の絶縁体であるブッシング１２と、連結タンク１１及びブッシング１２を支持する支持台１３と、連結タンク１１内及びブッシング１２内に通されている導体とを有している。なお、図２では、ブッシングユニット５の大きさが作業者１５と比較して示されている。
【００１８】
連結タンク１１は、上下方向に配置された筒状の連結タンク本体１１１と、連結タンク本体１１１から水平に突出して分岐している筒状のタンク分岐部１１２とを有している。連結タンク本体１１１の上端部及びタンク分岐部１１２の端部には、開口部が設けられている。
【００１９】
タンク分岐部１１２の端部には、フランジ部１１２ａが設けられている。遮断器１のケース６は、タンク分岐部１１２のフランジ部１１２ａに例えばボルトによって切り離し可能に固定されている。
【００２０】
ブッシング１２は、連結タンク本体１１１の上端部に例えばボルトによって切り離し可能に固定されている。また、ブッシング１２は、上下方向に立った状態で配置されている。ブッシング１２の下端部は、連結タンク本体１１１の上端部の開口部から連結タンク本体１１１内に挿入されている。
【００２１】
支持台１３には、連結タンク本体１１１の下端部が載せられている。連結タンク本体１１１の下端部は、支持台１３の上面に例えばボルトによって切り離し可能に固定されている。
【００２２】
ブッシングユニット５には、第１の取付部５ａ及び第２の取付部５ｂが設けられている。第１の取付部５ａ及び第２の取付部５ｂは、ブッシングユニット５の長手方向について互いに離れて配置されている。この例では、第１の取付部５ａがブッシング１２に設けられ、第２の取付部５ｂが支持台１３に設けられている。一方のブッシングユニット４の構成は、他方のブッシングユニット５の構成と同様である。
【００２３】
第１の電力架線２は一方のブッシングユニット４の導体を介して遮断器１の遮断器本体に電気的に接続され、第２の電力架線３は他方のブッシングユニット５の導体を介して遮断器１の遮断器本体に電気的に接続されている。
【００２４】
ブッシングユニット４，５の更新作業、即ち、ブッシングユニット４，５を撤去し、新たなブッシングユニット４，５を設置する作業を行うときには、ブッシング更新装置が用いられる。なお、ブッシング更新システムは、ブッシングユニット４，５及びブッシング更新装置で構成されている。
【００２５】
図４は、図３のブッシングユニット５にブッシング更新装置２１が装着されている状態を示す側面図である。また、図５は図４のブッシング更新装置２１を示す上面図、図６は図５のブッシング更新装置２１を示す側面図である。ブッシング更新装置２１は、架台２２に回転自在に支持されている回転軸２３と、回転軸２３を回転させる複数の駆動装置２４と、回転軸２３に固定されている可動台２５と、架台２２に対する回転軸２３の位置を調整可能な位置調整装置２６と、架台２２を持ち上げる複数のジャッキ２７と、架台２２が動かないように架台２２を支える複数のアウトリガー２８と、架台２２を搬送可能な複数の搬送装置２９とを有している。
【００２６】
架台２２は、複数のアングル材で構成されている。また、架台２２は、架台２２の長手方向及び幅方向を水平にして配置されている。なお、図５及び図６では、架台２２の長手方向がＸ方向、架台２２の幅方向がＹ方向、架台２２の高さ方向がＺ方向として示されている。
【００２７】
回転軸２３は、架台２２の幅方向Ｙに沿って水平に配置されている。各駆動装置２４は、回転軸２３に連結されている。この例では、図５に示すように、２台の駆動装置２４が回転軸２３の両端部に配置されている。また、この例では、各駆動装置２４が、回転軸２３を回転させる駆動力を発生する油圧機構部２４１と、油圧機構部２４１の駆動力を回転軸２３に伝える伝達機構部２４２とを有している。油圧機構部２４１は、シリンダと、油圧によってシリンダ内を移動するプランジャとを有している。伝達機構部２４２は、油圧機構部２４１のプランジャと連動する可動ラックと、可動ラックに噛み合っている歯車とを有している。伝達機構部２４２の歯車は、回転軸２３に固定されている。伝達機構部２４２は、可動ラックの移動に伴って歯車が回転することにより、油圧機構部２４１のプランジャの直線移動を回転軸２３の回転に変換する。各駆動装置２４は、油圧制御によって各油圧機構部２４１のプランジャのストローク管理を行うことにより同期して連動可能になっている。
【００２８】
可動台２５は、回転軸２３の中間部に固定されている。これにより、可動台２５は、回転軸２３の軸線を中心として回転軸２３と一体に変位可能になっている。また、可動台２５は、回転軸２３に固定されている柱状の可動台本体２５１と、可動台本体２５１からそれぞれ突出している第１のアーム部２５２及び第２のアーム部２５３とを有している。
【００２９】
回転軸２３には、可動台本体２５１の下端部が固定されている。第１のアーム部２５２及び第２のアーム部２５３は、可動台本体２５１の長手方向について互いに離れて配置されている。第１のアーム部２５２と第２のアーム部２５３との間の距離は、第１の取付部５ａと第２の取付部５ｂとの間の距離と同じになっている。第１のアーム部２５２は、第１の取付部５ａに例えばボルトによって取り付け可能になっている。第２のアーム部２５３は、第２の取付部５ｂに例えばボルトによって取り付け可能になっている。
【００３０】
可動台２５は、回転軸２３の回転によって、可動台本体２５１が鉛直方向に沿って立つ起立位置と、可動台本体２５１が水平に倒れる倒伏位置との間で、回転軸２３の軸線を中心として変位される。第１のアーム部２５２が第１の取付部５ａに取り付けられ、第２のアーム部２５３が第２の取付部５ｂに取り付けられている状態では、可動台２５が起立位置と倒伏位置との間で変位することにより、ブッシングユニット５が立ったり倒れたりする。可動台２５が倒伏位置に達すると、可動台２５が架台２２上に載った状態になる。
【００３１】
回転軸２３、各駆動装置２４及び可動台２５は、位置調整装置２６を介して架台２２に設けられている。これにより、架台２２に対する回転軸２３、各駆動装置２４及び可動台２５の位置は、位置調整装置２６によって一体に調整可能になっている。
【００３２】
位置調整装置２６は、図６に示すように、Ｘ方向調整部２６１、Ｙ方向調整部２６２、Ｚ方向調整部２６３及び回転方向調整部を有している。Ｘ方向調整部２６１は、架台２２の長手方向Ｘへ互いにスライド可能な一対のＸ方向スライドステージと、Ｘ方向スライドステージの位置を調整するねじジャッキとを有している。Ｙ方向調整部２６２は、架台２２の幅方向Ｙへ互いにスライド可能な一対のＹ方向スライドステージと、Ｙ方向スライドステージの位置を調整するねじジャッキとを有している。Ｚ方向調整部２６３は、Ｚ方向ステージと、Ｚ方向ステージの位置を架台２２の高さ方向Ｚへ調整する油圧ジャッキとを有している。回転方向調整部は、架台２２の高さ方向Ｚに沿った図５に示す軸線Ｐを中心として回転可能な回転ステージと、回転ステージの回転角度を調整するねじジャッキとを有している。
【００３３】
位置調整装置２６は、Ｘ方向調整部２６１、Ｙ方向調整部２６２、Ｚ方向調整部２６３及び回転方向調整部のそれぞれにより、長手方向Ｘ、幅方向Ｙ、高さ方向Ｚ及び軸線Ｐを中心とする回転方向のそれぞれの方向について、回転軸２３、各駆動装置２４及び可動台２５の位置を架台２２に対して調整可能になっている。この例では、回転方向調整部による調整範囲は、図５に示すように、回転軸２３の軸線に対して、軸線Ｐの周方向へ角度±α°＝±５°の範囲になっている。
【００３４】
各アウトリガー２８は、架台２２の長手方向Ｘについて互いに離して架台２２に設けられている。また、各アウトリガー２８は、架台２２の幅方向Ｙの両側へ架台２２から突出している。さらに、各アウトリガー２８は、地面に設置された状態で架台２２を支える一対の脚部を有している。この例では、４台のアウトリガー２８が架台２２に設けられている。
【００３５】
各ジャッキ２７は、架台２２の下部に設けられている。この例では、４つのジャッキ２７が架台２２の下部に設けられており、各ジャッキ２７が長手方向Ｘ及び幅方向Ｙについて互いに離して配置されている。ジャッキ２７としては、例えばねじジャッキ又は油圧ジャッキ等が用いられる。
【００３６】
各搬送装置２９は、架台２２を搬送するときに地面と架台２２との間に配置される。各ジャッキ２７及び各アウトリガー２８が地面から離れて架台２２が各搬送装置２９に載っている状態では、架台２２が各搬送装置２９によって搬送可能になっている。この例では、４つの搬送装置２９が長手方向Ｘ及び幅方向Ｙについて互いに離して配置される。また、この例では、各搬送装置２９が、各ジャッキ２７間の範囲よりも長手方向Ｘの外側に配置される。
【００３７】
次に、ブッシングユニット５の更新作業を行うときの手順について説明する。まず、停電部８において、遮断器１のケース６と連結タンク１１とを互いに締結するボルトをすべて外し、連結タンク１１を遮断器１のケース６から切り離す。このとき、ブッシング１２に通されている導体もブッシングユニット５の外部に対して切り離しておく。
【００３８】
この後、各搬送装置２９を架台２２の下に配置し、架台２２を各搬送装置２９に載せる。このとき、各ジャッキ２７を操作して架台２２を持ち上げて、搬送装置２９が入るスペースを架台２２と地面との間に確保してから、各搬送装置２９を架台２２の下のスペースに配置し、各ジャッキ２７を操作してジャッキダウンさせる。これにより、架台２２が各搬送装置２９に載り、ブッシング更新装置２１が搬送可能になる。
【００３９】
この後、ブッシング更新装置２１をブッシングユニット５の場所へ搬送し、各アウトリガー２８を操作して各アウトリガー２８の脚部を地面に設置する。これにより、架台２２が地面から持ち上がり、架台２２が各アウトリガー２８で支えられる。
【００４０】
この後、第１のアーム部２５２の位置がブッシングユニット５の第１の取付部５ａに対向する位置になり、第２のアーム部２５３の位置がブッシングユニット５の第２の取付部５ｂに対向する位置になるように、位置調整装置２６によって架台２２に対する可動台２５の位置を調整する。
【００４１】
この後、図４に示すように、第１のアーム部２５２をブッシングユニット５の第１の取付部５ａに例えばボルトによって取り付けるとともに、第２のアーム部２５３をブッシングユニット５の第２の取付部５ｂに例えばボルトによって取り付ける。
【００４２】
この後、各駆動装置２４の駆動力によって回転軸２３を回転させて、回転軸２３の軸線を中心に可動台２５を起立位置から倒伏位置へゆっくり変位させる。これにより、ブッシングユニット５は、立った状態から倒れた状態になる。このとき、ブッシングユニット５が遮断器１のケース６と干渉しないように、フランジ部１１２ａを含む平面上でブッシングユニット５を倒す。
【００４３】
この後、架台２２の下に各搬送装置２９を配置してから、各アウトリガー２８の脚部を地面から外して各アウトリガー２８を開放する。これにより、架台２２が各搬送装置２９に載り、ブッシング更新装置２１が搬送可能になる。このとき、ブッシング更新装置２１を上から見たときのブッシングユニット５及びブッシング更新装置２１の重心位置が、各搬送装置２９で囲まれた範囲の内側になるように各搬送装置２９を配置する。
【００４４】
この後、ブッシングユニット５を載せたブッシング更新装置２１を図１のクレーン使用禁止エリア１０外へ搬送する。この後、各アウトリガー２８で架台２２を地面から持ち上げて架台２２を各アウトリガー２８で支えてから、可動台２５を倒伏位置から起立位置へ変位させることにより、ブッシングユニット５を立てる。この後、第１のアーム部２５２を第１の取付部５ａから外し、第２のアーム部２５３を第２の取付部５ｂから外すことにより、ブッシングユニット５から可動台２５を外す。
【００４５】
図７は、図１のクレーン使用禁止エリア１０外でブッシング１２を連結タンク１１から外す作業を行っている状態を示す側面図である。クレーン使用禁止エリア１０外でブッシングユニット５から可動台２５を外した後、ブッシング１２と連結タンク１１とを締結しているボルトをすべて外す。この後、クレーン使用禁止エリア１０外に設置しているクレーン１４によってブッシング１２を吊りながら、連結タンク１１からブッシング１２を外し、ブッシング１２を撤去する。
【００４６】
この後、新たなブッシング１２をクレーン１４で吊り下げながら新たなブッシング１２の下端部を連結タンク１１に挿入し、新たなブッシング１２を連結タンク１１に例えばボルトによって取り付ける。これにより、更新後のブッシングユニット５が出来上がる。
【００４７】
この後、架台２２を各アウトリガー２８で支え、更新後のブッシングユニット５に可動台２５を取り付けた後、可動台２５を起立位置から倒伏位置へ変位させて更新後のブッシングユニット５をゆっくり倒す。
【００４８】
この後、各アウトリガー２８を開放して架台２２を各搬送装置２９に載せた後、クレーン使用禁止エリア１０内へブッシング更新装置２１を搬送する。この後、架台２２を各アウトリガー２８で支え、可動台２５を倒伏位置から起立位置へ変位させることにより、ブッシングユニット５を設置すべき元のスペースに更新後のブッシングユニット５を立てる。
【００４９】
この後、更新後のブッシングユニット５から可動台２５を外した後、タンク分岐部１１２のフランジ部１１２ａを遮断器１のケース６の端部に例えばボルトによって固定する。ブッシング更新装置２１は、各アウトリガー２８を開放するとともに各搬送装置２９に架台２２を載せて、更新後のブッシングユニット５から離れた場所に搬送する。これにより、ブッシングユニット５におけるブッシング１２の更新作業が完了する。ブッシングユニット４におけるブッシング１２の更新作業の手順も、ブッシングユニット５におけるブッシング１２の更新作業と同様である。
【００５０】
このようなブッシング更新装置２１、及びブッシング更新システムでは、回転軸２３の軸線を中心として変位可能な可動台２５が、ブッシング１２を含むブッシングユニット４，５に取り付け可能になっているので、回転軸２３の軸線を中心に可動台２５を変位させることにより、ブッシングユニット４，５を一体物として倒したり立てたりすることができる。これにより、ブッシングユニット４，５を倒した状態でブッシングユニット４，５をクレーン使用禁止エリア１０外へ搬送することができる。従って、ブッシングユニット４，５の撤去作業及び設置作業をクレーンによって行う必要がなくなり、クレーン使用禁止エリア１０の全範囲が停電になることを防止することができる。これにより、クレーン使用禁止エリア１０内の部分的な停電のみでブッシングユニット４，５の更新作業を行うことができ、停電の範囲を狭くすることができる。また、ブッシングユニット４，５を倒すだけでブッシングユニット４，５を遮断器１から外すことができるので、ブッシングユニット４，５を遮断器１から外す作業を容易にすることができる。さらに、ブッシング１２を取り替える作業は、クレーン使用禁止エリア１０外の作業のしやすい場所で行うこともできる。従って、ブッシング１２の更新作業を容易にすることができる。
【００５１】
また、架台２２に対する回転軸２３の位置は、位置調整装置２６によって調整可能になっているので、架台２２を設置した後に、ブッシングユニット５に対して可動台２５の位置の微調整をすることができる。これにより、ブッシングユニット５に対する可動台２５の取り付け作業を容易にすることができる。
【００５２】
また、架台２２を持ち上げるジャッキ２７、架台２２が動かないように架台２２を支えるアウトリガー２８、架台２２を搬送可能な搬送装置２９が、ブッシング更新装置２１に含まれているので、ブッシングユニット５を倒したり立てたりする作業をアウトリガー２８によって安定させることができる。また、ジャッキ２７で架台２２を持ち上げて搬送装置２９に架台２２を載せることができ、ブッシング更新装置２１を容易に搬送することができる。このようなことから、ブッシングユニット４，５の撤去作業及び設置作業をさらに容易にすることができる。
【００５３】
また、連結タンク１１は、遮断器１のケース６の水平方向端部に取り付けられているので、ブッシングユニット４，５を遮断器１と干渉させずに倒すことができる。これにより、ブッシングユニット４，５を上方へ引き上げることなく撤去及び設置することができ、ブッシングユニット４，５におけるブッシング１２の更新作業をさらに容易にすることができる。
【００５４】
なお、上記の例では、屋外に設置されているブッシングユニット４，５に対してブッシング更新装置２１が適用されているが、クレーン１４の使用が制限される例えば建物内又は地下等に設置されているブッシングユニット４，５に対してブッシング更新装置２１を適用してもよい。
【符号の説明】
【００５５】
１  遮断器（電気機器）、４，５  ブッシングユニット、１１  連結タンク、１２  ブッシング、２１  ブッシング更新装置、２２  架台、２３  回転軸、２４  駆動装置、２５  可動台、２６  位置調整装置、２７  ジャッキ、２８  アウトリガー、２９  搬送装置。
【図１】
2017208907.tif 000003
【図２】
2017208907.tif 000004
【図３】
2017208907.tif 000005
【図４】
2017208907.tif 000006
【図５】
2017208907.tif 000007
【図６】
2017208907.tif 000008
【図７】
2017208907.tif 000009